(57)【要約】【課題】  構造簡単で、しかも処方量に応じた定量で薬液を容易に取り出すことができる薬液容器の提供。【解決手段】  薬液Ａの処方量に応じて長さが異なると共に異なる目印が表示された複数本のノズル２ａ，２ｂ，２ｃを用意させ、この内から処方量に応じた長さのノズルを選択して容器本体１の口部１２に装着させる。受液キャップ３を容器本体に装着したまま容器本体を倒立させ、容器本体を圧縮変形させて、液面ａがノズルの下端２１よりも上方になるまで薬液を排出させ、次に、容器本体への押圧を止めて圧縮を解除させると、容器本体が定型に復元し、ノズルの先端２１から上に溜まった分がノズルの先端から吸引されて容器本体の内部に戻され、受液キャップ内に薬液を定量で取り出すことができる。【選択図】  図２
2006136387.tif 000002
【特許請求の範囲】
【請求項１】
内部に薬液を収容させる容器本体と、この容器本体の口部に装着可能な複数本のノズルと、容器本体の口部に装着されたノズルを覆うように容器本体に着脱可能に装着された受液キャップを備え、
前記容器本体は、常時は定型を保持するように圧縮変形可能に形成され、圧縮変形させると内部の薬液がノズルを経て排出され、圧縮を解除させると定型に復元して薬液の排出を停止させるように形成され、
前記複数本のノズルは、薬液の処方量に応じて長さが異なると共に、異なる目印が表示され、この複数本のノズルの内から処方量に応じた長さのノズルを選択して容器本体の口部に装着できるように形成され、
前記受液キャップは、容器本体に装着されたままの状態で、該容器本体を倒立させてノズルから排出させた薬液を収容できるように形成されていることを特徴とした薬液容器。
【発明の詳細な説明】
【技術分野】
【０００１】
本発明は、薬液を収容させる薬液容器に関し、特に、薬液の処方量に応じて定量で容易に取り出すことができる薬液容器に関する。
【背景技術】
【０００２】
従来の薬液容器としては、内部に薬液が収容された容器本体と、この容器本体の口部に装着されたノズルと、このノズルを覆うように容器本体に装着された計量キャップを備えたものが一般に知られている。
【０００３】
使用に際しては、計量キャップを容器本体から取り外し、次に、容器本体を圧縮変形させることにより、処方量に応じた定量で薬液をノズルから計量キャップ内に排出させる。
この場合、計量キャップに表示した目盛を見ながら薬液の排出量が所定の目盛に達すると、容器本体に対する圧縮を解除させて薬液の排出を停止させるもので、これにより計量キャップ内に処方量に応じた定量の薬液を取り出すようにしていた。
【０００４】
しかしながら、上記の薬液容器では、計量キャップに表示した目盛を見ながら薬液を排出させるという目視による計量であるため、計量にバラツキが生じ易く、又、その排出作業が煩わしいという問題があった。
【０００５】
また、従来、容器本体の口部にポンプを装着した薬液容器が知られている（特許文献１参照）。
この薬液容器では、シリンダと、軸孔付きのピストンと、ばねを有したポンプを容器本体の口部に装着させたもので、容器本体を倒立状態にして、ピストンを押し操作することにより、容器本体内の薬液を定量で排出させるようになっている。
【０００６】
しかしながら、このようなポンプを利用した薬液容器では、複雑構造のポンプを容器本体の口部に装着させるため、コスト的に不利が生じる。
また、ピストンの１回の押し操作によって１回分の薬液が定量で排出されるもので、このため、処方量に応じた定量で薬液を取り出そうとすると、ピストンのストロークを調節操作して薬液の排出量を調節する必要があり、操作性や定量の正確性等から見て実用的ではない。
【特許文献１】特許公開２００２−３５５２９３号公報
【発明の開示】
【発明が解決しようとする課題】
【０００７】
本発明は、構造簡単で、しかも処方量に応じた定量で薬液を容易に取り出すことができる薬液容器を提供することを課題としている。
【課題を解決するための手段】
【０００８】
上記の課題を解決するために、本発明の薬液容器は、
内部に薬液を収容させる容器本体と、この容器本体の口部に装着可能な複数本のノズルと、容器本体の口部に装着されたノズルを覆うように容器本体に着脱可能に装着された受液キャップを備え、
前記容器本体は、常時は定型を保持するように圧縮変形可能に形成され、圧縮変形させると内部の薬液がノズルを経て排出され、圧縮を解除させると定型に復元して薬液の排出を停止させるように形成され、
前記複数本のノズルは、薬液の処方量に応じて長さが異なると共に異なる目印が表示され、この複数本のノズルの内から処方量に応じた長さのノズルを選択して容器本体の口部に装着できるように形成され、
前記受液キャップは、容器本体に装着されたままの状態で、該容器本体を倒立させてノズルから排出させた薬液を収容できるように形成されている構成とした。
【発明の効果】
【０００９】
本発明の薬液容器は、受液キャップを装着したままの状態で容器本体を倒立させ、この状態で容器本体を圧縮変形させるもので、これにより、容器本体に収容した薬液がノズルを経て受液キャップ内に排出される。
この場合、ノズルの先端（下端）が薬液中に没して、液面がノズルの下端よりも上方になるまで薬液を排出させるものである。
【００１０】
次に、容器本体の圧縮を解除させると、容器本体が定型に復元するもので、これにより、薬液の排出が停止されると共に、ノズルの先端が薬液中に没しているため、ノズルの先端から上に溜まった分がノズルの先端から吸引されて容器本体の内部に戻される。
【００１１】
このように、ノズルの先端から上に溜まった分がノズルの先端から吸引されて容器本体の内部に戻されるため、受液キャップ内には、ノズルの先端までの量（深さ）で薬液が取り出されることになる。
【００１２】
即ち、ノズルの長さによって薬液の取り出し量を変化させることができるもので、そこで本発明では、薬液の処方量に応じて長さが異なると共に異なる目印が表示された複数本のノズルを用意させ、この内から処方量に応じた長さのノズルを選択して容器本体の口部に装着できるように形成したものである。
【００１３】
従って、本発明の薬液容器によれば、複数本のノズルの内から処方量に応じた長さのノズルを選択して容器本体の口部に装着させるだけの手間で、処方量に応じた定量で薬液を容易に取り出すことができる。
【００１４】
また、取り出し量を処方量に対応させるための手段としては、長さが異なる複数本のノズルを用意するだけでよいため、その構造が簡単になるし、コスト負担を軽減できる。
【００１５】
又、複数本のノズルには、異なる目印が表示されているため、必要なノズルの判別が容易になり、選択ミスを防止できる。
【発明を実施するための最良の形態】
【００１６】
以下、本発明の実施の形態を図面に示す実施例により説明する。
図１は本実施例の薬液容器を分解した状態を示す断面図、図２はその使用方法を説明するための断面図である。
【００１７】
本実施例の薬液容器は、容器本体１と、複数本（実施例では３本）のノズル２ａ，２ｂ，２ｃ（総称する場合はノズル２と表現する）と、受液キャップ３を備えている。
【００１８】
前記容器本体１は、透明合成樹脂により、常時は定型を保持するように圧縮変形可能に形成され、これを圧縮させると、内部に収容した薬液Ａがノズル２を経て排出され、圧縮を解除させると定型に復元して薬液Ａの排出を停止させるように形成されている。
なお、前記容器本体１には、口筒１０に口蓋１１が螺合により装着され、この口蓋１１の中央に口部１２が形成されている。
又、容器本体１の外面には、収容した薬液Ａの残量を測るための目盛１３が表示されている。
【００１９】
前記複数本のノズル２ａ，２ｂ，２ｃは、薬液Ａの処方量に応じて長さＬ１，Ｌ２，Ｌ３が異なると共に、異なる目印が表示され、この複数のノズル２ａ，２ｂ，２ｃの内から処方量に応じた長さのノズルを選択して容器本体１の口部１２に装着できるように形成されている。
例えば、薬液Ａの処方量が１０ｃｃ、１５ｃｃ、２０ｃｃの３通りとすると、受液キャップ３内に１０ｃｃの薬液Ａを取り出すように長さＬ１を設定した第１ノズル２ａと、１５ｃｃの薬液Ａを取り出すように長さＬ２を設定した第２ノズル２ｂと、２０ｃｃの薬液Ａを取り出すように長さＬ３を設定した第３ノズル２ｃを用意しておく。
【００２０】
なお、前記複数本のノズル２ａ，２ｂ，２ｃの長さは、薬液Ａの処方量が少ないほど長く（Ｌ１＞Ｌ２＞Ｌ３）形成される。
又、前記各ノズル２には、その先端にノズルキャップ２０が着脱可能に装着されている。
【００２１】
又、前記第１ノズル２ａ、第２ノズル２ｂ、第３ノズル２ｃは、判別し易いように、異なる目印が表示されており、この実施例では、第１ノズル２ａを赤色に着色し、第２ノズル２ｂを黄色に着色し、第３ノズル２ｃを青色に着色している。
なお、目印として、異なる色で着色するほか、異なる模様等を付すことも可能であるが、目立ち易い色別にするのが好ましい。
又、複数のノズル２としては、３本に限らず、２本以上（例えば、３本、５本、７本、１０本等）であればよい。
【００２２】
前記受液キャップ３は、透明合成樹脂によりカップ状に形成され、前記容器本体１の口部１２に装着されたノズル２を覆うように容器本体１の口蓋１１に着脱可能に装着されている。
そして、この受液キャップ３は、図２に示すように、容器本体１に装着されたままの状態で、該容器本体１を倒立させてノズル２から排出させた薬液Ａを収容できるように形成されている。
又、受液キャップ３の外面には、収容した薬液Ａの量を確認するための目盛３０が表示されており、この実施例では、薬液Ａの処方量が１０ｃｃ、１５ｃｃ、２０ｃｃてあることに対応して、１０ｃｃ、１５ｃｃ、２０ｃｃを表示する目盛３０が付されている。
【００２３】
本実施例の薬液容器の使用方法を図２により説明する。
まず、処方箋に表示された薬液Ａの処方量（服用量）に応じて、複数本のノズル２ａ，２ｂ，２ｃから１本のノズルを選択して、これを容器本体１の口部１２に装着させる。
実施例では、処方量を１５ｃｃとし、これに対応するように長さが設定された第２ノズル２ｂを選択している。
この場合、処方量が１５ｃｃに対応した第２ノズル２ｂは、黄色に着色されているため、黄色のノズルを選択すれば、第２ノズル２ｂを容易に判別して選択することができ、選択ミスを防止できる。
【００２４】
なお、処方量が１０ｃｃの場合には赤色のノズルを選択すれば、第１ノズル２ａを容易に判別して選択することができ、処方量が２０ｃｃの場合には青色のノズルを選択すれば、第３ノズル２ｃを容易に判別して選択することができる。
【００２５】
そして、受液キャップ３を容器本体１の口蓋１１に装着したままの状態で容器本体１を倒立させ、この状態で容器本体１を指で押圧Ｐして圧縮変形させ、容器本体１に収容した薬液Ａを第２ノズル２ｂを経て受液キャップ３内に排出させる。
この場合、図２（イ）で示すように、第２ノズル２ｂの先端（下端）が薬液Ａ中に没して、液面ａが第２ノズル２ｂの下端２１よりも上方になるまで薬液Ａを排出させるものである。
なお、受液キャップ３と口蓋１１の間には、薬液Ａの流入に伴ない受液キャップ３内の空気を外気に逃がすための排気溝（図示省略）が形成されている。
【００２６】
次に、容器本体１への押圧を止めて圧縮を解除させると、容器本体１が定型に復元するもので、これにより、薬液Ａの排出が停止されると共に、第２ノズル２ｂの先端２１が薬液Ａ中に没しているため、第２ノズル２ｂの先端２１から上に溜まった分が第２ノズル２ｂの先端２１から吸引されて容器本体１の内部に戻される。
【００２７】
このように、第２ノズル２ｂの先端から上に溜まった分が第２ノズル２ｂの先端２１から吸引されて容器本体１の内部に戻されるため、受液キャップ３内には、図２（ロ）で示すように、液面ａが第２ノズル２ｂの下端２１に一致した量（深さ）で薬液Ａが取り出されることになる。
即ち、ノズル２の長さによって薬液Ａの取り出し量を変化させることができるものである。
【００２８】
従って、薬液Ａの処方量に応じて長さが異なる複数本のノズルを用意させ、この内から処方量に応じた長さのノズルを選択使用するようにしたので、ノズルを選択するだけの手間で、処方量に応じた定量で薬液を容易に取り出すことができる。
【００２９】
また、長さが異なると複数本のノズルを用意するだけでよいため、その構造が簡単になるし、コスト負担も軽減できる。
【図面の簡単な説明】
【００３０】
【図１】本実施例の薬液容器を分解した状態を示す断面図である。
【図２】その使用方法を説明するための断面図である。
【符号の説明】
【００３１】
１  容器本体
１０  口筒
１１  口蓋
１２  口部
１３  目盛
２ａ  第１ノズル
２ｂ  第２ノズル
２ｃ  第３ノズル
２０  ノズルキャップ
２１  下端
３  受液キャップ
３０  目盛
Ａ  薬液
ａ  液面
【図１】
2006136387.tif 000003
【図２】
2006136387.tif 000004